(57)【要約】【課題】ボールネジ装置を構成するナットスクリュのネジ溝とデフレクタのリターン溝との接続部の段差を解消し、この接続部でのボールの引っ掛かりに起因する騒音と振動を防止するとともに、ボールの転送性も安定確保すること。【解決手段】ナットスクリュ２０へのデフレクタ３０の組込み方法であって、ナットスクリュ２０の窓部２３にデフレクタ３０を組込む前に、ナットスクリュ２０のネジ溝２１の溝断面を、デフレクタ３０のリターン溝３１との接続部で、該リターン溝３１の溝断面と滑らかに繋がるように段差取り加工するもの。【選択図】　図４
2004076881.tif 000002
【特許請求の範囲】
【請求項１】
ナットスクリュに設けた窓部にデフレクタを組込み、ナットスクリュのネジ溝にデフレクタのリターン溝を接続するナットスクリュへのデフレクタ組込み方法であって、
ナットスクリュの窓部にデフレクタを組込む前に、ナットスクリュのネジ溝の溝断面を、デフレクタのリターン溝との接続部で、該リターン溝の溝断面と滑らかにつながるように段差取り加工するナットスクリュへのデフレクタ組込み方法。
【請求項２】
前記ナットスクリュのネジ溝の溝巾を、デフレクタのリターン溝との接続部で、該リターン溝の溝巾と略同等になるように段差取り加工して拡幅する請求項１に記載のナットスクリュへのデフレクタ組込み方法。
【請求項３】
ナットスクリュに設けた窓部にデフレクタを組込み、ナットスクリュのネジ溝にデフレクタのリターン溝を接続するナットスクリュへのデフレクタ組込み構造であって、
ナットスクリュのネジ溝の溝巾を、デフレクタのリターン溝との接続部で、該リターン溝の溝巾と略同等になるように拡幅し、該ネジ溝と該リターン溝とを滑らかに接続したナットスクリュへのデフレクタ組込み構造。
【発明の詳細な説明】
【０００１】
【発明の属する技術分野】
本発明は、パワーステアリング装置のボールネジ装置を構成する等に用いられるナットスクリュへのデフレクタ組込み方法及び組込み構造に関する。
【０００２】
【従来の技術】
ボールネジ装置は、特開平１１−２７０６４８に記載の如く、シャフトスクリュのネジ溝とナットスクリュのネジ溝とによりボールのネジ走行路を形成し、１リード分離れて隣接するネジ走行路を、ナットスクリュに組込んだデフレクタの内周面に形成したリターン溝と、シャフトスクリュのネジ溝及びネジ山とにより形成されるリターン走行路により連通し、１つの無限循環走行路を形成している。これにより、ナットスクリュを回転させると、ボールは上述の無限循環走行路を転動しながら循環し、ナットスクリュの回転運動をシャフトスクリュの直線運動に変換する。
【０００３】
ボールネジ装置では、ボールがナットスクリュのネジ溝とデフレクタのリターン溝との接続部において引っ掛かり、騒音と振動を生じないようにするため、特開平１１−２７０６４８に記載の如くのナットスクリュへのデフレクタ組込み方法が提案されている。この従来技術は、ナットスクリュの窓部にデフレクタを組込んだ状態で、ナットスクリュのネジ溝とデフレクタのリターン溝との接続部の段差を削り取り、それらの溝面の面合わせを行なっている。
【０００４】
【発明が解決しようとする課題】
従来技術では、ナットスクリュのネジ溝とデフレクタのリターン溝との接続部の段差取り加工を、ナットスクリュの窓部にデフレクタを組込んだ状態で行なうものであるため、デフレクタのリターン溝の加工済の溝面まで削ってしまう。デフレクタが単品段階でリターン溝を作業空間に広く臨ませ、該リターン溝の溝面を簡易に高精度で加工済としているにもかかわらず、その溝面を削り取る。更に、溝面を傷付ける恐れもある。従って、デフレクタのリターン溝は、ナットスクリュのネジ溝との接続部で、該ネジ溝との段差を解消することはできても、溝面の削り取りによってボールの転送性を損なう。
【０００５】
本発明の課題は、ボールネジ装置を構成するナットスクリュのネジ溝とデフレクタのリターン溝との接続部の段差を解消し、この接続部でのボールの引っ掛かりに起因する騒音と振動を防止するとともに、ボールの転送性も安定確保することにある。
【０００６】
【課題を解決するための手段】
請求項１の発明は、ナットスクリュに設けた窓部にデフレクタを組込み、ナットスクリュのネジ溝にデフレクタのリターン溝を接続するナットスクリュへのデフレクタ組込み方法であって、ナットスクリュの窓部にデフレクタを組込む前に、ナットスクリュのネジ溝の溝断面を、デフレクタのリターン溝との接続部で、該リターン溝の溝断面と滑らかにつながるように段差取り加工するようにしたものである。
【０００７】
請求項２の発明は、請求項１の発明において更に、前記ナットスクリュのネジ溝の溝巾を、デフレクタのリターン溝との接続部で、該リターン溝の溝巾と略同等になるように段差取り加工して拡幅するようにしたものである。
【０００８】
請求項３の発明は、ナットスクリュに設けた窓部にデフレクタを組込み、ナットスクリュのネジ溝にデフレクタのリターン溝を接続するナットスクリュへのデフレクタ組込み構造であって、ナットスクリュのネジ溝の溝巾を、デフレクタのリターン溝との接続部で、該リターン溝の溝巾と略同等になるように拡幅し、該ネジ溝と該リターン溝とを滑らかに接続したものである。
【０００９】
【発明の実施の形態】
図１はボールネジ装置を示す断面図、図２はナットスクリュを示す断面図、図３はデフレクタを示し、（Ａ）は正面図、（Ｂ）は底面図、（Ｃ）は側面図、（Ｄ）は断面図、図４は図２の要部拡大図である。
【００１０】
ボールネジ装置１は、図１、図２に示す如く、シャフトスクリュ１０のネジ溝１１とナットスクリュ２０のネジ溝２１とによりボール２のネジ走行路３を形成し、１リード分離れて隣接するネジ走行路３、３を、ナットスクリュ２０に組込んだデフレクタ３０の内周面に形成したリターン溝３１と、シャフトスクリュ１０のネジ溝１１及びねじ山１２とにより形成されるリターン走行路４により連通し、１つの無限循環走行路５を形成している。デフレクタ３０は、ナットスクリュ２０の１つのネジ山２２を横切って打ち抜き形成された窓部２３に組込まれて取付けられる。
【００１１】
図１のボールネジ装置１においては、ナットスクリュ２０の紙面と直交する方向の手前側とその反対側にも、軸方向位置を違えて、デフレクタ３０が各１個組込まれ、合計４個のデフレクタ３０が組込まれており、４個の無限循環走行路５Ａ〜５Ｄが形成されている。
【００１２】
ボールネジ装置１において、ナットスクリュ２０を回転させると、ボール２は上述の無限循環走行路５を転動しながら循環し、ナットスクリュ２０の回転運動をシャフトスクリュ１０の直線運動に変換する。ナットスクリュ２０の正逆回転により、シャフトスクリュ１０は往復直線動する。
【００１３】
デフレクタ３０は、図３に示す如く、細長い長方形状の基板部３２と、基板部３２に立設せしめられた脚部３３とからなり、基板部３２は、四辺の角部が丸く削られ、長手方向の両側部に傾斜した平行な２本の突条３４を有している。これらの突条３４は、デフレクタ３０がナットスクリュ２０の窓部２３に組込まれたとき、ナットスクリュ２０の外表面から突出しない高さのものである。脚部３３には、前述のリターン溝３１がくり抜かれている。
【００１４】
ナットスクリュ２０へのデフレクタ３０の組込みは、デフレクタ３０をその脚部３３からデフレクタ組込み窓部２３に挿入し、脚部３３の付け根部の段部を窓部２３の内周壁面に形成されている段部２４（図２）に係合させ、かつ、基板部３２の外表面側から、その適所に点対称に加締め加工を施す。この加締め加工により、デフレクタ３０は、ナットスクリュ２０に固着され、そのリターン溝３１の変位が防止される。
【００１５】
ボールネジ装置１においては、ボール２の通常のネジ走行路３とリターン走行路４との接続部が滑らかに接続される必要がある。もし、この接続部の接続が滑らかでないと、ボール２がこの該接続部において引っ掛かり、騒音と振動が発生する。このネジ走行路３とリターン走行路４の接続部のうち、ナットスクリュ２０のネジ溝２１とデフレクタ３０のリターン溝３１との接続部には、ナットスクリュ２０やデフレクタ３０の製造上の寸法誤差や、ナットスクリュ２０のデフレクタ組込み窓部２３にデフレクタ３０を組付けたときの組付け誤差等により、段差を生じ易い。即ち、図２に示す如く、デフレクタ３０のリターン溝３１は、ナットスクリュ２０の相隣接するネジ溝２１、２１を滑らかに接続するように、Ｓ字状に湾曲されており、その両端開口縁３１Ａ、３１Ｂ（図２）を、ナットスクリュ２０の相隣接するネジ溝２１、２１の窓開口縁部２１Ａ、２１Ｂ（図２）に合致するようにして、リターン溝３１をネジ溝２１、２１に接続することは容易ではない。尚、ここで、窓開口縁部２１Ａ、２１Ｂは、ナットスクリュ２０の相隣接するネジ溝２１、２１に跨ってデフレクタ組込み窓部２３がくり抜かれることにより形成される縁部であり、ネジ溝２１、２１が窓部２３に臨む縁部である。特に、デフレクタ３０のリターン溝３１の両端開口縁部３１Ａ、３１Ｂとナットスクリュ２０の窓開口縁部２１Ａ、２１Ｂのそれぞれとの接続部のうち、図２に示す如く、相手側のネジ溝２１から遠い側にある接続部分Ａは接続線が長くなり、相手側のネジ溝２１から近い側にある接続部分Ｂに比べ、大きな段差を生じ易い。
【００１６】
ここで、本発明にあっては、ナットスクリュ２０のネジ溝２１とデフレクタ３０のリターン溝３１との接続部の段差を解消するため以下の構成を有するものにした。
【００１７】
（１）ナットスクリュ２０の窓部２３にデフレクタ３０を組込む前に、ナットスクリュ２０のネジ溝２１の窓開口縁部２１Ａ、２１Ｂ側の溝断面（溝底及び溝巾を含む）を、デフレクタ３０のリターン溝３１との接続部で、該リターン溝３１の両端開口縁３１Ａ、３１Ｂ側の溝断面（溝底及び溝巾を含む）と滑らかにつながるように段差取り加工した。
【００１８】
（２）上述（１）において、ナットスクリュ２０のネジ溝２１の溝断面の標準溝巾Ｗ１を、デフレクタ３０のリターン溝３１との接続部で、リターン溝３１の溝巾Ｗ２（デフレクタ３０におけるボール２の転動の確実を図るためＷ１＜Ｗ２）と略同等（同等又はより大）になる溝巾Ｗ３（Ｗ２≦Ｗ３）に段差取り加工（段差取り加工部２４）して拡幅する。段差取り加工部２４は、溝巾Ｗ１のネジ溝２１と溝巾Ｗ２のリターン溝３１とを滑らかにつなぐ。ネジ溝２１は段差取り加工部２４の形成部分における溝巾の最大値をＷ３とするものである。
【００１９】
ナットスクリュ２０のネジ溝２１に設ける最大溝巾Ｗ３の段差取り加工部２４は、ネジ溝２１の窓開口縁部２１Ａ、２１Ｂ側の溝断面の溝巾両端部のうち、前述の如く大きな段差が現れている相手側のネジ溝２１から遠い側にある接続部分Ａに施される。但し、最大溝巾Ｗ３の段差取り加工部２４は接続部分Ａ及び／又は接続部分Ｂに設けられても良い。
【００２０】
（３）上述（１）、（２）の段差取り加工は、砥石等を用いた研削加工装置により機械加工しても良く、又は手作業によることもできる。機械加工により、加工寸法精度を安定化してボールネジ装置１の作動性能を向上できるし、加工能率を向上してコスト低減できる。
【００２１】
本実施形態によれば以下の作用がある。
▲１▼ナットスクリュ２０のネジ溝２１の溝断面（溝底及び溝巾を含む）を、デフレクタ３０のリターン溝３１との接続部で、該リターン溝３１の溝断面（溝底及び溝巾を含む）と滑らかに繋がるようにする段差取り加工を、ナットスクリュ２０の窓部２３にデフレクタ３０を組込む前に行なう。従って、ナットスクリュ２０のネジ溝２１に施す上述の段差取り加工により、デフレクタ３０のリターン溝３１の加工済の溝面を削ることが一切ない。従って、ナットスクリュ２０のネジ溝２１とデフレクタ３０のリターン溝３１との接続部の段差を解消し、この接続部でのボール２の引っ掛かりに起因する騒音と振動を防止するとともに、リターン溝３１の高精度に加工済の溝面を傷付けることなくそのまま維持してボール２の転送性を損なうこともない。
【００２２】
▲２▼ナットスクリュ２０のネジ溝２１の溝巾Ｗ１を、デフレクタ３０のリターン溝３１との接続部で、該リターン溝３１の溝巾Ｗ２と略同等になる溝巾Ｗ３（Ｗ２≦Ｗ３）に段差取り加工して拡幅することにより、ナットスクリュ２０のネジ溝２１の溝底及び溝巾を含む溝断面の全面を、デフレクタ３０のリターン溝３１の溝断面に確実に滑らかに繋げることができる。
【００２３】
以上、本発明の実施の形態を図面により記述したが、本発明の具体的な構成はこの実施の形態に限られるものではなく、本発明の要旨を逸脱しない範囲の設計の変更等があっても本発明に含まれる。尚、本実施形態のボールネジ装置１は、電動式パワーステアリング装置において、電動機から出力される操舵アシスト力をステアリングシャフトに伝えるネジ伝動装置として使用することができる。
【００２４】
【発明の効果】
本発明によれば、ボールネジ装置を構成するナットスクリュのネジ溝とデフレクタのリターン溝との接続部の段差を解消し、この接続部でのボールの引っ掛かりに起因する騒音と振動を防止するとともに、ボールの転送性も安定確保できる。
【図面の簡単な説明】
【図１】図１はボールネジ装置を示す断面図である。
【図２】図２はナットスクリュを示す断面図である。
【図３】図３はデフレクタを示し、（Ａ）は正面図、（Ｂ）は底面図、（Ｃ）は側面図、（Ｄ）は断面図である。
【図４】図４は図２の要部拡大図である。
【符号の説明】
２０　ナットスクリュ
２１　ネジ溝
２３　窓部
２４　段差取り加工部
３０　デフレクタ
３１　リターン溝
【図１】
2004076881.tif 000003
【図２】
2004076881.tif 000004
【図３】
2004076881.tif 000005
【図４】
2004076881.tif 000006